(57)【特許請求の範囲】
【請求項１】
水平方向に延びる上部ヘッダ管と下部ヘッダ管との間で、それぞれ上下方向に延びる複数の伝熱管が水平方向に並設して構成されたオープンラック式気化器の伝熱管交換方法であって、
前記伝熱管の上端部は、前記上部ヘッダ管に設けられた、鉛直下向きの連通孔に、その一部が挿入された状態で固定されていると共に、前記伝熱管の下端部は、前記下部ヘッダ管に設けられた、鉛直上向きの連通孔に、その一部が挿入された状態で固定されており、
前記複数の伝熱管の内、交換対象の伝熱管を取り外す工程、及び、
前記伝熱管を取り外した箇所に、新たな伝熱管を取り付ける工程、を備え、
前記新たな伝熱管を取り付ける工程は、
前記新たな伝熱管の所定の箇所を塑性変形によって曲げる塑性変形工程と、
塑性変形によって曲げられた前記伝熱管の、塑性変形箇所とは別の箇所を、弾性的に曲げた状態に保持することによって、当該伝熱管の上端から下端までの直線距離を、前記上部ヘッダ管と前記下部ヘッダ管との間隔以下にすると共に、前記伝熱管の上端部及び前記下端部の向きをそれぞれ鉛直方向に沿う方向にする弾性変形工程と、
弾性的に曲げた状態の前記伝熱管を、前記上部ヘッダ管と前記下部ヘッダ管との間の、前記伝熱管を取り外した箇所に配置すると共に、弾性的に曲げた状態を解除することによって、前記伝熱管の上端部を前記上部ヘッダ管の前記連通孔に挿入しかつ、前記伝熱管の下端部を前記下部ヘッダ管の前記連通孔に挿入することによって、前記新たな伝熱管を取り付ける弾性変形解除工程と、を含むオープンラック式気化器の伝熱管交換方法。
【請求項２】
請求項１に記載のオープンラック式気化器の伝熱管交換方法において、
前記上部ヘッダ管の前記連通孔に挿入した前記新たな伝熱管の上端部を、溶接によって前記上部ヘッダ管に固定すると共に、前記下部ヘッダ管の前記連通孔に挿入した前記新たな伝熱管の下端部を、溶接によって前記下部ヘッダ管に固定する工程をさらに備えたオープンラック式気化器の伝熱管交換方法。
【請求項３】
請求項１又は２に記載のオープンラック式気化器の伝熱管交換方法において、
前記塑性変形工程は、前記新たな伝熱管の上端側の所定箇所、及び、下端側の所定箇所の二箇所を、同一方向に曲げる工程であり、
前記弾性変形工程は、前記二箇所の塑性変形箇所の間の中間部が、前記塑性変形の方向とは逆方向に曲がるように、弾性的に変形させるオープンラック式気化器の伝熱管交換方法。
【請求項４】
請求項３に記載のオープンラック式気化器の伝熱管交換方法において、
前記新たな伝熱管の前記上端部及び前記下端部にはそれぞれ、治具が固定されると共に、二つの治具の間をつなぐように、線状部材が取り付けられ、
前記弾性変形工程は、前記二つの治具の間隔が狭くなるように前記線状部材の長さを縮めることによって、前記新たな伝熱管の前記中間部を弾性的に曲げ変形させ、
前記弾性変形解除工程は、縮めていた前記線状部材の長さを戻すことによって、前記新たな伝熱管の弾性的に曲げた状態を解除するオープンラック式気化器の伝熱管交換方法。
【請求項５】
請求項４に記載のオープンラック式気化器の伝熱管交換方法において、
前記治具は、前記伝熱管の前記上端部又は前記下端部に固定される固定部と、前記固定部から延びる腕部と、を有し、
前記線状部材は、前記伝熱管の前記上端部に固定された治具の腕部の先端と、前記下端部に固定された治具の腕部の先端との間を架け渡すように取り付けられることで、前記伝熱管に沿って配設されるオープンラック式気化器の伝熱管交換方法。
【請求項６】
請求項１〜５のいずれか１項に記載の交換方法に用いるオープンラック式気化器の伝熱管であって、
所定箇所が塑性変形によって曲げられている伝熱管。
【発明の詳細な説明】
【技術分野】
【０００１】
ここに開示する技術は、オープンラック式気化器の伝熱管交換方法、及び、当該交換方法に用いる、オープンラック式気化器の伝熱管に関する。
【背景技術】
【０００２】
特許文献１には、低温液化ガスの気化器の１つであるオープンラック式気化器が記載されている。オープンラック式気化器は、上下方向に延びると共に低温液化ガスと熱媒体との間で熱交換を行う伝熱管を、水平方向に多数並べて、一枚のパネル状にしている。各伝熱管の下端部は、低温液化ガスを各伝熱管に分配する下部ヘッダ管に接続される。各伝熱管の上端部は、気化したガスを各伝熱管から集合させる上部ヘッダ管に接続される。各伝熱管の下端部は、下部ヘッダ管に対して溶接により固定されていると共に、各伝熱管の上端部は、上部ヘッダ管に対して溶接により固定されている。
【先行技術文献】
【特許文献】
【０００３】
【特許文献１】特開昭６３−３６８５５号公報
【発明の概要】
【発明が解決しようとする課題】
【０００４】
前述したような構成のオープンラック式気化器において、多数の伝熱管の内、特定の伝熱管のみに不具合が生じたときでも、気化器全体を交換することが行われる。一方で、不具合が生じた伝熱管のみを交換したいという要求がある。
【０００５】
しかしながら、オープンラック式気化器を構成する各伝熱管は、その上端部が、上部ヘッダ管内に設けられた鉛直下向きの連通孔に挿入された状態で固定されていると共に、下端部も、下部ヘッダ管に設けられた鉛直上向きの連通孔に挿入された状態で固定されている。そのため、不具合が生じた伝熱管を取り外し、新たな伝熱管を取り付けようとしても、新たな伝熱管の全長は、上端部及び下端部がヘッダ管の連通孔に挿入される分だけ、上部ヘッダ管と下部ヘッダ管との間隔よりも長くなっている。一方で、上部ヘッダ管及び下部ヘッダ管には、多数の伝熱管が固定されている状態であり、上部ヘッダ管と下部ヘッダ管との間隔を広げることができない。このため、上部ヘッダ管と下部ヘッダ管との間に、新たな伝熱管を入れることができず、オープンラック式気化器は、伝熱管の交換を行うことが、極めて困難であった。従って、これまでは、不具合が生じた伝熱管を取り外した状態で、オープンラック式気化器を使用する場合もあった。
【０００６】
ここに開示する技術は、かかる点に鑑みてなされたものであり、その目的とするところは、オープンラック式気化器において伝熱管の交換を可能にすることにある。
【課題を解決するための手段】
【０００７】
前述したように、伝熱管の全長は、上部ヘッダ管と下部ヘッダ管との間隔よりも長いため、そのままでは、上部ヘッダ管と下部ヘッダ管との間に入れることができないが、伝熱管を弾性的に曲げることによって弓形にして、上端から下端までの直線距離を短くした状態で、上部ヘッダ管と下部ヘッダ管との間に配置させることが考えられる。
【０００８】
しかしながら、伝熱管を単に弓形に曲げただけでは、伝熱管の上端部や下端部が鉛直方向に対して傾くようになる。これに対し、上部ヘッダ管に設けられた鉛直下向きの連通孔と伝熱管の上端部との隙間や、下部ヘッダ管に設けた鉛直上向きの連通孔と伝熱管の下端部との隙間は小さい。そのため、鉛直方向に対して傾いた上端部を、上部ヘッダ管の鉛直下向きの連通孔に挿入したり、鉛直方向に対して傾いた下端部を下部ヘッダ管の鉛直上向きの連通孔内に挿入したりすることは不可能である。
【０００９】
そこで、本願発明者等は、伝熱管を塑性変形によって予め曲げておき、別の箇所を弾性変形によっても曲げるようにすれば、伝熱管の上端部及び下端部の向きを鉛直方向に沿う方向にしながら、上端から下端までの直線距離を短くすることができる点に着目した。こうすることで、上部ヘッダ管と下部ヘッダ管との間に伝熱管を配置することが可能になると共に、その上端部及び下端部のそれぞれを、上部ヘッダ管及び下部ヘッダ管の連通孔に挿入可能になり、オープンラック式気化器において、伝熱管の交換が実現する。
【００１０】
具体的に、ここに開示する技術は、水平方向に延びる上部ヘッダ管と下部ヘッダ管との間で、それぞれ上下方向に延びる複数の伝熱管が水平方向に並設して構成されたオープンラック式気化器の伝熱管交換方法に関する。前記伝熱管の上端部は、前記上部ヘッダ管に設けられた、鉛直下向きの連通孔に、その一部が挿入された状態で固定されていると共に、前記伝熱管の下端部は、前記下部ヘッダ管に設けられた、鉛直上向きの連通孔に、その一部が挿入された状態で固定されている。
【００１１】
そして、前記の伝熱管交換方法は、前記複数の伝熱管の内、交換対象の伝熱管を取り外す工程、及び、前記伝熱管を取り外した箇所に、新たな伝熱管を取り付ける工程、を備え、前記新たな伝熱管を取り付ける工程は、前記新たな伝熱管の所定の箇所を塑性変形によって曲げる塑性変形工程と、塑性変形によって曲げられた前記伝熱管の、塑性変形箇所とは別の箇所を、弾性的に曲げた状態に保持することによって、当該伝熱管の上端から下端までの直線距離を、前記上部ヘッダ管と前記下部ヘッダ管との間隔以下にすると共に、前記伝熱管の上端部及び前記下端部の向きをそれぞれ鉛直方向に沿う方向にする弾性変形工程と、弾性的に曲げた状態の前記伝熱管を、前記上部ヘッダ管と前記下部ヘッダ管との間の、前記伝熱管を取り外した箇所に配置すると共に、弾性的に曲げた状態を解除することによって、前記伝熱管の上端部を前記上部ヘッダ管の前記連通孔に挿入しかつ、前記伝熱管の下端部を前記下部ヘッダ管の前記連通孔に挿入することによって、前記新たな伝熱管を取り付ける弾性変形解除工程と、を含む。
【００１２】
この構成によると、交換対象の伝熱管を取り外した後、新たな伝熱管を取り付けるときに、その新たな伝熱管の所定の箇所を塑性変形によって曲げておく。塑性変形を行う箇所は、一箇所又は二箇所とすればよい。
【００１３】
次いで、塑性変形によって曲げられた伝熱管の、塑性変形箇所とは別の箇所を、弾性的に曲げた状態に保持する。伝熱管を、塑性変形と弾性変形とのそれぞれによって曲げることで、上端から下端までの直線距離を、上部ヘッダ管と下部ヘッダ管との間隔以下にする。これにより、新たな伝熱管を、上部ヘッダ管と下部ヘッダ管との間に配置することが可能になる。
【００１４】
また、塑性変形と弾性変形とを組み合わせることによって、伝熱管の上端部及び下端部それぞれの向きを鉛直方向に沿う方向にすることが、容易になる。
【００１５】
そうして、弾性的に曲げた状態の伝熱管を、上部ヘッダ管と下部ヘッダ管との間の、伝熱管を取り外した箇所に配置した上で、伝熱管の弾性的に曲げた状態を解除する。これによって、曲げられていた弾性変形箇所が復元し、それに伴い、伝熱管の上端から下端までの直線距離が長くなる。このときに、伝熱管の上端部及び下端部の向きがそれぞれ鉛直方向に沿う方向になっているため、伝熱管の上端部を上部ヘッダ管の連通孔に、スムースに挿入することが可能になると共に、伝熱管の下端部を下部ヘッダ管の連通孔に、スムースに挿入することが可能になる。
【００１６】
こうして、オープンラック式気化器の、特定の伝熱管のみを交換することが可能になる。
【００１７】
前記伝熱管交換方法は、前記上部ヘッダ管の前記連通孔に挿入した前記新たな伝熱管の上端部を、溶接によって前記上部ヘッダ管に固定すると共に、前記下部ヘッダ管の前記連通孔に挿入した前記新たな伝熱管の下端部を、溶接によって前記下部ヘッダ管に固定する工程をさらに備える、としてもよい。
【００１８】
伝熱管の上端部及び下端部を、溶接によって上部ヘッダ管及び下部ヘッダ管に固定することにより、熱収縮によって、伝熱管の塑性変形箇所が復元しようとする。こうして、交換をした新たな伝熱管は、塑性変形による曲がりが緩和、又は、矯正され、他の伝熱管と同様に、実質的に上下方向に真っ直ぐな状態になる。尚、溶接後に伝熱管の曲がりが残った場合には、曲げ戻し治具によって曲がりを直すことも可能である。
【００１９】
前記塑性変形工程は、前記新たな伝熱管の上端側の所定箇所、及び、下端側の所定箇所の二箇所を、同一方向に曲げる工程であり、前記弾性変形工程は、前記二箇所の塑性変形箇所の間の中間部が、前記塑性変形の方向とは逆方向に曲がるように、弾性的に変形させる、としてもよい。
【００２０】
こうすることで、弾性的に曲げ変形させる中間部の長さが比較的長くなり、その曲げ変形が比較的容易になる。また、中間部の長さが長いため、曲げ量を大きくしなくても、言い換えると、中間部を弾性範囲内で曲げても、上端から下端までの直線距離を、上部ヘッダ管と下部ヘッダ管との間隔以下にすることが可能になる。
【００２１】
ここで、二箇所を同一方向に曲げるとは、二箇所それぞれの曲げの曲率中心が、伝熱管に対して同じ側になることである。また、弾性変形の曲げの方向を、塑性変形の曲げの方向とは逆方向にするとは、弾性変形による曲げの曲率中心が、伝熱管を挟んで、塑性変形の曲げの曲率中心の側とは逆側になることである。つまり、伝熱管の塑性変形及び弾性変形を、同一平面内において行うことを意味する。伝熱管の曲げを、同一平面内において行うことによって、オープンラック式気化器から伝熱管を取り外すことによって形成される、伝熱管と伝熱管との間の狭い隙間に、新たな伝熱管を配置することが可能になる。
【００２２】
前記新たな伝熱管の前記上端部及び前記下端部にはそれぞれ、治具が固定されると共に、二つの治具の間をつなぐように、線状部材が取り付けられ、前記弾性変形工程は、前記二つの治具の間隔が狭くなるように前記線状部材の長さを縮めることによって、前記新たな伝熱管の前記中間部を弾性的に曲げ変形させ、前記弾性変形解除工程は、縮めていた前記線状部材の長さを戻すことによって、前記新たな伝熱管の弾性的に曲げた状態を解除する、としてもよい。
【００２３】
こうすることで、伝熱管を弾性的に曲げた状態に保持することが可能になる。また、伝熱管を弾性的に曲げた状態のまま、上部ヘッダ管と下部ヘッダ管との間でかつ、伝熱管と伝熱管との間の狭い隙間に配置することが可能になる。さらに、縮めていた線状部材の長さを戻すことによって、上部ヘッダ管と下部ヘッダ管との間でかつ、伝熱管と伝熱管との間の狭い隙間に配置した状態で、伝熱管の弾性曲がりを復元することが可能になり、伝熱管の上端部及び下端部の一部をそれぞれ、上部ヘッダ管及び下部ヘッダ管の連通孔に挿入することが可能になる。
【００２４】
前記治具は、前記伝熱管の前記上端部又は前記下端部に固定される固定部と、前記固定部から延びる腕部と、を有し、前記線状部材は、前記伝熱管の前記上端部に固定された治具の腕部の先端と、前記下端部に固定された治具の腕部の先端との間を架け渡すように取り付けられることで、前記伝熱管に沿って配設される、としてもよい。
【００２５】
この構成の治具を用いることによって、上端側及び下端側の二箇所で塑性変形により曲げられた長尺の伝熱管の中間部を、弾性的に曲げることが容易に実現する。
【００２６】
前述した交換方法に用いる伝熱管は、所定箇所が塑性変形によって曲げられていることを特徴とする。この伝熱管を用いることにより、オープンラック式気化器の、特定の伝熱管のみを交換することが可能になる。
【００２７】
また、交換した伝熱管の上端部及び下端部をそれぞれ、上部ヘッダ管及び下部ヘッダ管に対し溶接によって固定すれば、塑性変形による曲がりを緩和、又は、矯正することが可能になる。
【発明の効果】
【００２８】
以上説明したように、前記のオープンラック式気化器の伝熱管交換方法によると、塑性変形及び弾性変形を組み合わせて伝熱管を曲げることにより、伝熱管の上端から下端までの直線距離を、上部ヘッダ管と下部ヘッダ管との間隔以下にすると共に、伝熱管の上端部及び下端部の向きをそれぞれ、鉛直方向に沿う方向にすることが容易になるため、伝熱管の交換が可能になる。
【図面の簡単な説明】
【００２９】
【図１】オープンラック式気化器の構成を概念的に示す図である。
【図２】上部ヘッダ管に接続された伝熱管の上端部を示す断面図である。
【図３】下部ヘッダ管に接続された伝熱管の下端部を示す断面図である。
【図４】オープンラック式気化器の伝熱管を交換する手順を示す説明図である。
【図５】（ａ）塑性変形によって曲げた伝熱管を示す図、（ｂ）弾性変形によって曲げた状態の伝熱管を示す図である。
【図６】伝熱管に取り付けられる治具を示す図である。
【図７】（ａ）塑性変形によって曲げた伝熱管を示す変形例、（ｂ）弾性変形によって曲げた状態の伝熱管を示す変形例である。
【図８】（ａ）塑性変形によって曲げた伝熱管を示す変形例、（ｂ）弾性変形によって曲げた状態の伝熱管を示す変形例である。
【発明を実施するための形態】
【００３０】
以下、オープンラック式気化器（Open Rack Vaporizer：ＯＲＶ）１の実施形態を図面に基づいて説明する。尚、以下の実施形態の説明は例示である。ＯＲＶ１は、この例では、低温液化ガスとしての液化天然ガス（ＬＮＧ）を、熱媒体としての海水によって気化して天然ガス（ＮＧ）にする装置である。
【００３１】
図１は、ＯＲＶ１の要部を構成する熱交換パネル３とそれに付帯する設備を示している。ＯＲＶ１は、上下方向に延びる伝熱管２を、水平方向に複数本並べてパネル状にした熱交換パネル３を備えている。図示は省略するが、ＯＲＶ１は、このような熱交換パネル３を、仕様に応じて複数、並列に配置して構成される。
【００３２】
伝熱管２は、図２又は３に拡大して示すように、円管状の部材の外表面から径方向の外方に向かって延びる複数のフィン２１を有している。各フィン２１は、伝熱管２における上端部付近から下端部付近にまでの間で延びている。伝熱管２の上端部及び下端部にはそれぞれ、フィン２１が設けられていない。
【００３３】
伝熱管２の上側には、水平に延びる上部ヘッダ管４が配設され、伝熱管２の下側には、水平に延びる下部ヘッダ管５が配設されている。各伝熱管２は、その上端部が上部ヘッダ管４に接続される一方、その下端部が下部ヘッダ管５に接続される。上部ヘッダ管４は、上部マニホールド６に連通し、下部ヘッダ管５は、下部マニホールド７に連通している。
【００３４】
熱交換パネル３の上部には、水平方向に延びるトラフ８が、伝熱管２に隣接して配設されている。トラフ８には海水が供給され、トラフ８から溢れ出した海水は、伝熱管２の表面を流下する。
【００３５】
ＬＮＧは、下部マニホールド７を経て下部ヘッダ管５に供給され、その下端部から伝熱管２内に流入する。伝熱管２内に流入したＬＮＧは、伝熱管２の表面を流下する海水との熱交換により気化し、ＮＧとなって、伝熱管２の上端部から上部ヘッダ管４に流出する。上部ヘッダ管４に流出したＮＧは、上部マニホールド６を通じて外部に送り出される。
【００３６】
図２は、伝熱管２の上端部と、上部ヘッダ管４との接続構造を示している。上部ヘッダ管４には、伝熱管２の上端部が挿入される連通孔４１が、径方向に貫通して設けられている。上部ヘッダ管４の連通孔４１は、鉛直下向きに開口している。
【００３７】
伝熱管２の上端部には、挿入部としてのバッキング２２が取り付けられている。バッキング２２は、伝熱管２の上端開口に内挿されて固定されると共に、その上端開口から上方に突出している。このバッキング２２が、上部ヘッダ管４の下向きの連通孔４１内の途中にまで挿入され、これにより、伝熱管２と上部ヘッダ管４とが互いに連通する。バッキング２２の外径と連通孔４１の内径とはほぼ同じであり、バッキング２２と連通孔４１との隙間は狭い。伝熱管２の上端部は、上部ヘッダ管４に対して溶接により固定されている。
【００３８】
図３は、伝熱管２の下端部と、下部ヘッダ管５との接続構造を示している。下部ヘッダ管５には、伝熱管２の下端部が挿入される連通孔５１が、径方向に貫通して設けられている。下部ヘッダ管５の連通孔５１は、鉛直上向きに開口している。連通孔５１は、下部ヘッダ管５の外周面側（図３の上側）が径の大きい大径部とされ、内周面側（図３の下側）が径の小さい小径部とされており、その途中に段差が設けられている。
【００３９】
伝熱管２の下端部にも、上端部と同様に、挿入部としてのバッキング２３が取り付けられている。バッキング２３は、伝熱管２の下端開口に内挿されて固定されると共に、その下端開口から下方に突出している。このバッキング２３が、下部ヘッダ管５の鉛直上向きの連通孔５１内に挿入され、これにより、伝熱管２と下部ヘッダ管５とが互いに連通することになる。バッキング２３は、連通孔５１の大径部に挿入されており、バッキング２３の下端は連通孔５１の段差に当たっている。バッキング２３の外径と、連通孔５１の大径部の内径とはほぼ同じであり、バッキング２３と連通孔５１との隙間は狭い。伝熱管２の下端部もまた、下部ヘッダ管５に対して溶接により固定されている。
【００４０】
以上のように構成されたＯＲＶ１において、特定の伝熱管２に不具合が生じたときに、その伝熱管２のみを交換する方法について、図を参照しながら説明する。図４は、伝熱管２の交換手順を示す説明図である。伝熱管２の交換手順は、先ず、ＯＲＶ１から交換対象の伝熱管２を取り外す取り外し工程Ｐ１と、新たな伝熱管２を、熱交換パネル３において、伝熱管２を取り外した箇所に配置する配置工程Ｐ２と、伝熱管２の上端部を上部ヘッダ管４の連通孔４１に挿入すると共に、伝熱管２の下端部を下部ヘッダ管５の連通孔５１に挿入する取付工程Ｐ３と、伝熱管２の上端部及び下端部をそれぞれ、上部ヘッダ管４及び下部ヘッダ管５に溶接によって固定する固定工程Ｐ４とを備えている。尚、図４の左下の図は、ＯＲＶ１を見る方向が、他の図とは異なる。以下、各工程について順に説明をする。
【００４１】
（取り外し工程Ｐ１）
伝熱管２を取り外すときには、先ず、その上端部及び下端部における溶接箇所以外の適宜の箇所で、伝熱管２を切断する。こうして、上下二箇所で切断した伝熱管２を熱交換パネル３から取り外す。
【００４２】
次いで、伝熱管２の切断後に、上部ヘッダ管４及び下部ヘッダ管５に残った伝熱管２の溶接部分を、工具で削って取り除く。このときに、バッキング２２、２３も取り除かれる。こうして、交換対象の伝熱管２を、ＯＲＶ１から取り外すことが完了する。ＯＲＶ１は、図４に示すように、熱交換パネル３の一部に、隙間が設けられた状態となる。
【００４３】
（配置工程Ｐ２）
前述したように、伝熱管２の上端部のバッキング２２は、上部ヘッダ管４の連通孔４１に、下端部のバッキング２３は、下部ヘッダ管５の連通孔５１に挿入される。従って、これから取り付けようとする新たな伝熱管２の、バッキング２２、２３を含めた上端から下端までの全長は、上部ヘッダ管４の下面と下部ヘッダ管５の上面との間の間隔Ｌ（図１参照）よりも長い。新たな伝熱管２を、上部ヘッダ管４と下部ヘッダ管５との間に配置しようとしても、そのままでは配置させることができない。
【００４４】
そこで、伝熱管２を曲げた状態にすることで上端から下端までの直線距離を短くし、上部ヘッダ管４と下部ヘッダ管５との間に配置することが考えられる。しかしながら、伝熱管２を曲げて弓形にしただけでは、伝熱管２の上端部が鉛直方向に対して傾くと共に、伝熱管２の下端部も鉛直方向に対して傾くようになる。これでは、伝熱管２の上端部のバッキング２２を、上部ヘッダ管４の鉛直下向きの連通孔４１に挿入することができず、同様に、伝熱管２の下端部のバッキング２３を、下部ヘッダ管５の鉛直上向きの連通孔５１に挿入することができない。
【００４５】
そこで、ここでは、伝熱管２を、塑性変形によって曲げた上でさらに、弾性変形によって曲げた状態に保持することで、伝熱管２の上端から下端までの直線距離を短くすると共に、伝熱管２の上端部及び下端部の向きを鉛直方向に沿う方向にする。
【００４６】
図５（ａ）（ｂ）はそれぞれ、伝熱管２の曲げ方を例示している。理解容易のために、図５は、伝熱管２を、フィン２１等を省略して概念的に示していると共に、曲げを誇張して描いている。
【００４７】
図５（ａ）は、塑性変形によって曲げた伝熱管２を示している。塑性変形箇所は、伝熱管２の上端側の所定箇所、及び、下端側の所定箇所の二箇所である。二箇所の塑性変形箇所は、同一方向に曲げる。同一方向に曲げるとは、二箇所それぞれの曲げの曲率中心が、伝熱管２に対して同じ側になることであり、図５（ａ）の例では、上端側の塑性変形箇所も、下端側の塑性変形箇所も、その曲率中心が、図における伝熱管２の上側である。
【００４８】
伝熱管２の上端側の塑性変形箇所は、伝熱管２の上端から所定距離Ｌ１１となる箇所に設けられている。距離Ｌ１１は、伝熱管２の外径（尚、ここでいう外径は、フィンを取り除いた状態での管の外径である）の２０〜４５倍程度に設定すればよい。距離Ｌ１１が短すぎる場合は、伝熱管２を塑性変形させることが困難になる場合がある。また、距離Ｌ１１が長すぎると、後述するように、弾性的に変形させる伝熱管２の中間部の長さが短くなってしまうという不都合がある。例えば、伝熱管２の全長が６ｍで、伝熱管の外径が３５ｍｍのときに、距離Ｌ１１を１ｍとしてもよい。
【００４９】
上端側の塑性変形箇所の曲げ量Ｌ２１は、後述するように、伝熱管２の中間部を弾性的に曲げたときに、伝熱管２の上端部が鉛直方向となるように設定される。曲げ量Ｌ２１は、距離Ｌ１１の５％以下にすることが好ましい。例えば、前述したように距離Ｌ１１を１ｍとしたときには、曲げ量Ｌ２１は３０ｍｍ程度としてもよい。
【００５０】
伝熱管２の下端側の塑性変形箇所は、伝熱管２の下端から所定距離Ｌ１２となる箇所に設けられている。距離Ｌ１２も、距離Ｌ１１と同様に、伝熱管２の外径の２０〜４５倍程度に設定すればよい。距離Ｌ１２は、距離Ｌ１１と同じにしてもよいし、距離Ｌ１１と異ならせてもよい。図５（ａ）の例は、距離Ｌ１２と距離Ｌ１１とを同じにしている。
【００５１】
下端側の塑性変形箇所の曲げ量Ｌ２２も、伝熱管２の中間部を弾性的に曲げたときに、伝熱管２の下端部が鉛直方向となるように設定される。曲げ量Ｌ２２も、距離Ｌ１２の５％以下にすることが好ましい。曲げ量Ｌ２２は、曲げ量Ｌ２１と同じにしてもよいし、曲げ量Ｌ２１と異ならせてもよい。図５（ａ）の例は、曲げ量Ｌ２２を、曲げ量Ｌ２１よりも少なくした例を示している。例えば、距離Ｌ１２を１ｍとしたときには、曲げ量Ｌ２２は１０ｍｍ程度としてもよい。
【００５２】
このように、伝熱管２の上端側及び下端側の二箇所において、塑性変形によって曲げた伝熱管２は、その上端から下端までの直線距離Ｌ１が、真っ直ぐな伝熱管２よりは短いものの、上部ヘッダ管４と下部ヘッダ管５との間隔Ｌよりも長くなる。以上が、塑性変形工程に対応する。
【００５３】
図５（ｂ）は、図５（ａ）に示す塑性変形によって曲げた伝熱管２を、弾性変形によって曲げた状態を示している。弾性変形箇所は、上端側の塑性変形箇所と下端側の塑性変形箇所との間の中間部である。このように、伝熱管２の中間部を弾性変形によって曲げた状態にして、それを保持するために、図６に示す治具９を用いる。
【００５４】
この治具９は、伝熱管２の上端部及び下端部のそれぞれに取り付け固定される。尚、ここでいう上端部及び下端部はそれぞれ、上端側の塑性変形箇所よりも上端側の部分、及び、下端側の塑性変形箇所よりも下端側の部分を意味し、治具９は、好ましくは、伝熱管２の上端部において、フィン２１が形成されていない部分、及び、伝熱管２の下端部において、フィン２１が形成されていない部分に取り付け固定される。尚、以下において、固定部９１が固定される伝熱管２の上端部及び下端部を総称して、単に端部と呼ぶ。
【００５５】
各治具９は、伝熱管２の端部に固定される固定部９１と、この固定部９１から延びる腕部９２とを有している。
【００５６】
固定部９１は、円筒状の伝熱管２の端部に対し、外挿するように取り付けられる部分である。固定部９１は、後述するように、伝熱管２を弾性変形させる際に、腕部９２が伝熱管２に対して相対的に回転しないよう、伝熱管２の端部に対して強固に固定される。固定部９１は、例えばその内径が縮小するように締め付け可能な構成としてもよい。こうすることで、伝熱管２の端部に外挿した固定部９１を回転不能に強固に固定することができる。尚、固定部９１の構成は様々な構成を適宜採用することができる。
【００５７】
腕部９２は、固定部９１に対して一体的に設けられると共に、伝熱管２の管軸に対して直交する方向に延びている。腕部９２の長さは、後述するように、この腕部９２の先端に取り付けられる線状部材としてのワイヤ９４が、伝熱管２と干渉しない程度の長さに適宜設定される。腕部９２の先端にはワイヤ９４が取り付けられる取付部９３が設けられている。
【００５８】
ワイヤ９４は、伝熱管２の上端部に取り付けられた治具９と、下端部に取り付けられた治具９との間を架け渡すように配設される。ワイヤ９４の途中には、レバーブロック９５が介設される。このレバーブロック９５によって、上端部に取り付けられた治具９と下端部に取り付けられた治具９との間隔が狭くなるように、二つの治具９の間を架け渡すワイヤ９４の長さを実質的に縮めることが可能になる。
【００５９】
ワイヤ９４の長さを縮めることによって、図５（ｂ）に示すように、伝熱管２の中間部を曲げることが可能になる。ワイヤ９４は、伝熱管２に沿って配設される。こうして、伝熱管２の上端から下端までの直線距離Ｌ２を、上部ヘッダ管４と下部ヘッダ管５との間の間隔Ｌ以下となるようにする。また、図６に示すように、予め塑性変形によって曲げられていた伝熱管２の上端部及び下端部はそれぞれ、ワイヤ９４の長さを縮めることに伴い、一点鎖線に示す状態から実線に示す状態へと向きが変わり、伝熱管２の上端部及び下端部の向きは共に、鉛直方向に沿う方向になる。
【００６０】
ここで、伝熱管２の曲げ量は、その曲げ変形を弾性範囲内に収めつつ、伝熱管２の上端から下端までの直線距離が上部ヘッダ管４と下部ヘッダ管５との間の間隔以下となる量にすることが望ましい。尚、図５（ｂ）では誇張して描いているが、伝熱管２の上端部及び下端部のバッキング２２、２３が、上部ヘッダ管４及び下部ヘッダ管５の連通孔４１、５１に挿入される長さ分だけ、上端から下端までの直線距離が短くなればよく、弾性変形前後の長さの差（Ｌ１−Ｌ２）は、数ミリから、十数ミリ程度と比較的短い。
【００６１】
伝熱管２の中間部の長さを比較的長くすることによって、伝熱管２の上端から下端までの直線距離を上部ヘッダ管４と下部ヘッダ管５との間の間隔以下となる量にまで短くしても、弾性曲げ量を少なくすることが可能になる。
【００６２】
弾性変形による曲げの方向は、前述した二箇所の塑性変形箇所の曲げ方向とは逆方向となるようにする。つまり、図５（ｂ）の例では、弾性変形による曲げの曲率中心は、伝熱管２に対して下側である。これに対し、塑性変形箇所の曲げの曲率中心は、前述したように、伝熱管２に対して上側である。これにより、伝熱管２は、同一平面内（図５（ｂ）の例では、紙面に平行な平面内）において、塑性変形及び弾性変形により曲げられる。
【００６３】
塑性変形及び弾性変形により曲げられた伝熱管は、図５（ｂ）に示すように、上端から下端までの直線距離Ｌ２が、上部ヘッダ管４と下部ヘッダ管５との間隔以下になると共に、その上端部の向きが鉛直方向に沿うようになりかつ、その下端部の向きも鉛直方向に沿うようになる。好ましくは、上端部の中心軸と下端部の中心軸とが、鉛直方向に延びる同一軸線上に位置することである。
【００６４】
治具９とワイヤ９４とレバーブロック９５とを利用することにより、伝熱管２を弾性的に曲げた状態に保持することが可能になる。腕部９２によって、ワイヤ９４を伝熱管２と干渉させずに、伝熱管２に沿うように配設することが可能になる。以上が、弾性変形工程に対応する。
【００６５】
この曲げられた伝熱管２は、図４に示すように、熱交換パネル３において、伝熱管２が取り外されることでできた、伝熱管２と伝熱管２との間の狭い隙間に入れられる。この隙間は、伝熱管一本分の隙間しかないが、前述したように、伝熱管２を、同一平面上で曲げているため、この伝熱管一本分の隙間にも、略弓形に曲げた状態の伝熱管２を入れることが可能になる。
【００６６】
（取付工程Ｐ３）
伝熱管２を所定の位置に配置した状態で、レバーブロック９５によって縮めていたワイヤ９４の長さを戻すようにする。これに伴い、弾性的に曲げられていた伝熱管２の中間部が復元する。図４に矢印で示すように、伝熱管２の上端部は上方に移動し、下端部は下方に移動する。尚、実際には、伝熱管２の下端部のバッキング２３は、下部ヘッダ管５の連通孔５１に挿入されているため、伝熱管２の上端部のみが上方に移動する。
【００６７】
伝熱管２の上端部の向きは鉛直方向に沿う方向にされているため、上端部は、上部ヘッダ管４の、鉛直下向きの連通孔４１内にスムースに挿入することが可能になる。
【００６８】
伝熱管２の弾性曲げが完全に復元しかつ、伝熱管２の上端部及び下端部のそれぞれが、上部ヘッダ管４及び下部ヘッダ管５の連通孔４１、５１内に挿入された後、伝熱管２の上端部及び下端部に取り付けた治具を取り外す。以上が、弾性変形解除工程に対応する。
【００６９】
（固定工程Ｐ４）
伝熱管２の上端部及び下端部のそれぞれが、上部ヘッダ管４及び下部ヘッダ管５の連通孔４１、５１内に挿入されれば、伝熱管２の上端部を溶接によって上部ヘッダ管４に固定すると共に、下端部を溶接によって下部ヘッダ管５に固定する。この溶接に伴う熱収縮で、塑性変形によって曲がっている伝熱管２は上下方向に引っ張られる。つまり、伝熱管２は、曲がりが復元する方向に引っ張られる。こうして、ＯＲＶ１に取り付けた伝熱管２の曲がりが緩和、又は、矯正される。こうして、伝熱管２の交換が完了する。
【００７０】
このように、塑性変形と弾性変形とを組み合わせて、伝熱管２を曲げた状態に保持することで、上端から下端までの直線距離を短くしつつ、上端部及び下端部をそれぞれ鉛直方向となるようにすることが可能になる。これにより、伝熱管２を取り外した後の、上部ヘッダ管４と下部ヘッダ管５との間でかつ、伝熱管２と伝熱管２との間の狭い隙間に、新たな伝熱管２を配置することが可能になる。また、新たな伝熱管２を所定位置に配置した状態で、ワイヤ９４によって弾性変形させていた伝熱管２の曲げ状態を解除することに伴い、伝熱管２の上端部を上部ヘッダ管４の連通孔４１にスムースに挿入させることができると共に、下端部を下部ヘッダ管５の連通孔５１にスムースに挿入させることができる。
【００７１】
さらに、伝熱管２の上端部及び下端部をそれぞれ、溶接によって上部ヘッダ管４及び下部ヘッダ管５に固定することに伴い、伝熱管２の曲がりを緩和、又は、矯正することが可能になる。尚、溶接後に伝熱管２の曲がりが残った場合には、曲げ戻し治具によって曲がりを直すことも可能である。
【００７２】
尚、伝熱管２を曲げる際の塑性変形箇所及び弾性変形箇所の組み合わせは、図５に示す組み合わせに限定されない。例えば図７に示すような、塑性変形箇所及び弾性変形箇所の組み合わせを採用することも可能である。具体的に図７（ａ）の例では、伝熱管２の上端側及び下端側の二箇所それぞれに塑性変形箇所を設けている。これは、図５に示す例と同じである。但し、図７（ａ）の例では、上端側の塑性変形箇所の曲げの方向と、下端側の塑性変形箇所の曲げの方向とを、互いに逆向きにしている。その上で図７（ｂ）に示すように、伝熱管２の中間部を弾性的に変形させるが、このときに、弾性変形箇所は、二箇所設定していると共に、それぞれの弾性変形箇所における曲げの方向も、互いに逆向きにしている。こうして、伝熱管２は、全体としてＳ字のような形状に曲げている。この構成でも、図７（ｂ）に示すように、伝熱管２の上端から下端までの直線距離Ｌ２を、上部ヘッダ管４と下部ヘッダ管５との間隔以下にしつつ、伝熱管２の上端部及び下端部の向きを、鉛直方向に沿うようにすることが可能になる。尚、塑性変形させる箇所（つまり、Ｌ１１、Ｌ１２）や、その変形量（つまり、Ｌ２１、Ｌ２２）は、図５に示す例と同様に設定すればよい。
【００７３】
また、図８（ａ）に示すように、塑性変形箇所を、伝熱管の略中央部の一箇所にのみ設けてもよい。この場合は、図８（ｂ）に示すように、塑性変形箇所を挟んだ上端側と、下端側とのそれぞれにおいて、弾性変形箇所を設ければよい。二箇所の弾性変形の曲げの方向は共に、塑性変形の曲げの方向とは逆である。
【００７４】
こうすることでも、伝熱管２の上端から下端までの直線距離Ｌ２を、上部ヘッダ管４と下部ヘッダ管５との間隔以下にしつつ、伝熱管２の上端部及び下端部の向きを鉛直方向に沿うようにすることが可能になる。
【００７５】
尚、伝熱管２の構成は、図２、３等に示す構成に限らない。ここに開示する技術は、様々な構成を有する伝熱管に、広く適用可能である。
【符号の説明】
【００７６】
１  オープンラック式気化器
２  伝熱管
２２  バッキング（挿入部）
２３  バッキング（挿入部）
４  上部ヘッダ管
４１  連通孔
５  下部ヘッダ管
５１  連通孔
９  治具
９１  固定部
９２  腕部
９４  ワイヤ（線状部材）
【図１】
0006448409.tif 000002
【図２】
0006448409.tif 000003
【図３】
0006448409.tif 000004
【図４】
0006448409.tif 000005
【図５】
0006448409.tif 000006
【図６】
0006448409.tif 000007
【図７】
0006448409.tif 000008
【図８】
0006448409.tif 000009